(57)【要約】      （修正有）【課題】風呂敷本来の機能を損なわず、最少の付属、部品を取り付ける事によって、用途に応じた多様なバックを形成する事が出来、持ち運びに便利な多機能風呂敷を提供する。【解決手段】風呂敷本体１の表面を使い、ヒモが通る長方形の引手２が付いたファスナー３を開いた状態で、風呂敷本体１の中心とファスナー３の中心を合わせ、ファスナー３のむしをＵ字型に対称に取り付け、ファスナー３を閉めて開口部を結んだり、または開口部を折り曲げ、ファスナー両端の引手２に、別布で作成した両端にナスカン４の付いたヒモ５をつけることによって、手提げ袋やショルダーバックが形成される。また、外観が損なわれていない風呂敷本体１の裏面は、包装用の風呂敷の表として使用可能となり、両端にナスカン４の付いたヒモ５は、風呂敷がコンパクトなサイズで保持出来るヒモとして使う事が可能となる。【選択図】図１
0003152043.tif 000002
【実用新案登録請求の範囲】
【請求項１】
風呂敷本体１の表面に、ヒモが通る長方形の引手２が両端に付いたファスナー３を、そのファスナーが開いた状態で、風呂敷本体１の中心位置とファスナー３の中心を合わせて、かつ、ファスナー３のむしがＵ字型に対称になるように取り付けた風呂敷本体１と、両端にナスカン４がついたヒモ５とで構成される多機能風呂敷。
【請求項２】
風呂敷本体を、リバーシブルの生地としたことを特徴とする請求項１記載の多機能風呂敷。
【考案の詳細な説明】
【技術分野】
【０００１】  この考案は、正方形の布を包装用として、ショルダーバックとして、または手提げ袋として、使用される多機能風呂敷に関する。
【背景技術】
【０００２】  従来の風呂敷は、モノを包む布であり、風呂敷バックとして、ヒモを付けたり、付属の取手を結び付けたり、切り込みを入れたりなど、風呂敷に取手をつけたものがバックとして提案されている。
【先行技術文献】
【特許文献】
【０００３】
【特許文献１】  実用新案登録第３１２５３１８号
【特許文献２】  実用新案登録第３１２９９４９号
【特許文献３】  実公昭４６−２７６８０
【考案の概要】
【考案が解決しようとする課題】
【０００４】  上記従来の風呂敷バックは、箱形の物を包む取手が付いたものが中心で、手提げ袋としては使いにくく、広げて包装用として使用する際、ヒモや切り込み等が邪魔になって、使用感が悪く、持ち運びの際に不便であった。【０００５】  そこで、この考案は、広げて使用する際使用感が良く、且つ袋として、用途に応じて使い方、大きさを選ぶことが出来、持ち運びに体裁の良い多機能な風呂敷を提供することを課題とする。
【課題を解決する為の手段】
【０００６】  この考案は、風呂敷本体１の表面（図１）に、ヒモが通る長方形の引手２が両端についたファスナー３を、開いた状態で取り付ける。その際に、風呂敷本体１の中心位置とファスナー３の中心を合わせ、ファスナー３のむしをＵ字型に対称に取り付ける。そのファスナー３が閉めた時に袋状となり、開口部の端を結ぶことによって、図４に示す様に、大きめの手提げ袋を形成する構造になっている。
【０００７】  また、別布で両端にナスカン４を取り付けたヒモ５を作成し（図２）、図６に示すように、ファスナー３両端の長方形の引手２にナスカン４をつける。そして、開口部の両端を同方向に折り曲げると、図５に示すように、首から斜めがけが出来る袋として使用する事が出来る。
【０００８】  更に図７に示すように、両端にナスカン４の付いたヒモ５を、ファスナー３の両端の長方形の引手２に２重に通すことによって、ショルダーバック（図８）、手提げ袋（図９）として使用する事が出来る。
【０００９】  また、図１０に示すように、風呂敷本体１を小さく畳んでヒモ５を巻き付け、ナスカン４を掛ける事により、持ち運びに便利な筒状のカタチを保持する事が出来る。
【００１０】  また更に、上記のような使い方をする風呂敷は、裏、表のデザイン、色柄に配慮して、リバーシブルの風呂敷本体１としておけば、より商品価値が向上する。
【考案の効果】
【００１１】  以上の様に構成された風呂敷は、大きさ、用途が選択出来る、袋として使用できる次のような種々の効果がある。
１、レジ袋代わりのショッピングバックとして大きめの手提げ袋になる。
２、旅行の際に、衣類の梱包から散策する時の首から斜めがけ出来るバックとして使い回す事が出来る。
３、ショルダーバック、手提げ袋として使用する事が出来る。
４、アウトドアのキャンプで、テーブルクロスや膝にかけるブランケットとして、また買物袋として使い回す事が出来る。
５、風呂敷裏面は外観が損なわれていないので、広げて使用する際、使用感が良く体裁も良い。
６、ポケットに入るようなコンパクトなサイズになるので、持ち運びに便利である。
７、本体の生地をリバーシブルのデザインにしておけば、使う用途が広がり、商品価値が上がる。
【図面の簡単な説明】
【００１２】
【図１】本考案多機能風呂敷の平面図
【図２】ナスカン４の付いたヒモ５の平面図
【図３】図１の裏面の状態を示す平面図
【図４】図１のファスナー３を閉めた大きめ手提袋の正面図
【図５】首から斜めがけ出来るバックの正面図
【図６】ファスナー引手２にナスカン４をつけた拡大図
【図７】ヒモ５を２重に通したバックの正面図
【図８】ショルダーバックの使用状態
【図９】小さめの手提げ袋の使用状態
【図１０】風呂敷本体１を小さく畳んだ時の正面図
【考案を実施するための形態】
【００１３】  風呂敷本体１に、最小の付属、部品を取り付ける事によって、３通りの袋を形成する事が出来、風呂敷として広げたときに外観が損なわれてないもの、持ち運びに便利なものを実現した。
【実施例１】
【００１４】  図１に示すように、風呂敷本体１の表面に、ヒモが通る長方形の引手２が両端についたファスナー３を、開いた状態で取り付ける。その際に、風呂敷本体１の中心位置とファスナー３の中心を合わせ、ファスナー３のむしをＵ字型に対称に取り付ける。それによって、そのファスナー３が閉めた時に袋状となり、開口部の端を結ぶと、図４に示す様に、大きめの手提げ袋を形成する。【００１５】  図３の風呂敷本体１の裏面は、ファスナーつけのステッチ糸６だけで、外観が損なわれておらず、包装用の風呂敷として使用する際、表面として体裁が良く、使用感も良いように設定されている。【００１６】  図４は一つの使用状態であって、ファスナー３を閉めて袋状とし、開口部の端を結ぶことによって、大きめ手提げ袋として使用出来るよう設定されている。【００１７】  図５は他の使用状態であって、ファスナー３を閉めて、開口部を同方向に折りまげ、ファスナー３の両端にある長方形の引手２にナスカン４をつけ（図６）、斜めがけ出来るバックとして設定されている。【００１８】  図７はまた他の使用状態であり、ファスナー３を閉めて、開口部を同方向に折り曲げ、ファスナー３の長方形の引手２に、ナスカン４の付いたヒモ５を２重に通してショルダーバック（図８）、手提げ袋（図９）としても使用する事が出来る。【００１９】  図１０は、風呂敷本体１の裏面を表にして、小さく畳んでヒモ５を巻き付け、ナスカン４を掛ける事によって、持ち運びに便利なコンパクトな筒状のカタチを保持する事が出来る。
【産業上の利用可能性】
【００２０】  以上の様に構成された多機能風呂敷は、レジ袋代わりのショッピングバックとして旅行の際に風呂敷として衣類の梱包から散策用の斜めがけバック、ショルダーバック手提げ袋として使い回すことが出来、アウトドアのキャンプで使用する際にテーブルクロスや膝にかけるブランケット、また買物袋など、様々な場面で、その用途に応じて、使い分ける事が出来る風呂敷である。【００２１】  また、ポケットに入るようなコンパクトなサイズになるので、邪魔にならず、持ち運びに便利である。
【符号の説明】
【００２２】１  風呂敷本体
２  ヒモが通る長方形のファスナーの引手
３  ファスナー
４  ナスカン
５  ヒモ
６  ファスナーつけのステッチ糸
【図１】
0003152043.tif 000003
【図２】
0003152043.tif 000004
【図３】
0003152043.tif 000005
【図４】
0003152043.tif 000006
【図５】
0003152043.tif 000007
【図６】
0003152043.tif 000008
【図７】
0003152043.tif 000009
【図８】
0003152043.tif 000010
【図９】
0003152043.tif 000011
【図１０】
0003152043.tif 000012